(57)【要約】      （修正有）【課題】商品情報表示片を商品収容空間内で簡便かつ確実に位置決めすることができ、商品情報表示片を商品収容空間内に立体的に見栄えよく配置することができるブリスター包装容器を提供する。【解決手段】商品を保持する商品保持部１１６を設けた台座本体１１０と、台座本体１１０と一体に成型して外側に膨出する商品収容空間を形成した蓋体１２０とを備え、台座本体１１０に対して蓋体１２０を折り返して閉蓋する際に台座本体１１０の側壁外周面１１１に沿って形成した台座本体側嵌合部１１３と蓋体１２０の側壁内周面１２１に沿って形成した蓋体側嵌合部１２３とが凹凸嵌合し、台座本体側嵌合部１１３が、台座本体１１０及び蓋体１２０とは別体に設けて商品収容空間内に掛け渡す帯状の商品情報表示片の長手方向端部を組み込んで着座させる凹状着座部分１１２を備えている。【選択図】図４
0003225973.tif 000002
【実用新案登録請求の範囲】
【請求項１】
商品を保持する商品保持部を設けた台座本体と、該台座本体と一体に成型して外側に膨出する商品収容空間を形成した蓋体とを備え、前記台座本体に対して前記蓋体を折り返して閉蓋する際に前記台座本体の側壁外周面に沿って形成した台座本体側嵌合部と前記蓋体の側壁内周面に沿って形成した蓋体側嵌合部とが凹凸嵌合するブリスター包装容器であって、
前記台座本体側嵌合部が、前記台座本体及び前記蓋体とは別体に設けて前記商品収容空間内に掛け渡す帯状の商品情報表示片の長手方向端部を組み込んで着座させる凹状着座部分を備えていることを特徴とするブリスター包装容器。
【請求項２】
前記凹状着座部分が、前記台座本体側嵌合部に対して前記商品収容空間を介して対向配置されていることを特徴とする請求項１に記載のブリスター包装容器。
【請求項３】
前記凹状着座部分が、前記台座本体側嵌合部に対して前記蓋体の閉蓋時に前記商品情報表示片が前記台座本体の商品保持部を覆ってかけ渡すように配置されていることを特徴とする請求項１又は請求項２に記載のブリスター包装容器。
【考案の詳細な説明】
【技術分野】
【０００１】
本考案は、商品を保持、収納するブリスター包装容器に関し、特に商品情報表示片を商品にかけ渡して商品情報表示を行うブリスター包装容器に関するものである。
【背景技術】
【０００２】
従来、商品情報表示片を商品にかけ渡すブリスター包装容器において、商品情報表示片を配置、固定する構造としては、前面板と背面板との二重構造を有する台紙と商品情報表示片とを一体に形成し、商品情報表示片で商品を押さえつけて固定し、さらに商品情報表示片の長手方向端部を折り曲げて、台紙の前面板と背面板との間に差し込むことにより配置、固定するものが知られている（特許文献１参照）。
【先行技術文献】
【特許文献】
【０００３】
【特許文献１】特開２００１−３２２６７３号公報
【考案の概要】
【考案が解決しようとする課題】
【０００４】
しかしながら、従来の商品情報表示片を商品にかけ渡すブリスター包装容器は、商品情報表示片の長手方向端部を折り曲げて台紙の前面板と背面板との間に差し込み、粘着テープで固定する必要があるため包装プロセスが煩雑であり、また、商品情報表示片で商品を押さえつけて固定するため、商品情報表示片を商品表示に用いるには見栄えが悪いという問題があった。
【０００５】
そこで、本考案は、前述したような従来技術の問題を解決するものであって、すなわち、本考案の目的は、商品情報表示片を商品収容空間内で簡便かつ確実に位置決めすることができ、商品情報表示片を商品収容空間内に立体的に見栄えよく配置することができるブリスター包装容器を提供することである。
【課題を解決するための手段】
【０００６】
本請求項１に係る考案は、商品を保持する商品保持部を設けた台座本体と、該台座本体と一体に成型して外側に膨出する商品収容空間を形成した蓋体とを備え、前記台座本体に対して前記蓋体を折り返して閉蓋する際に前記台座本体の側壁外周面に沿って形成した台座本体側嵌合部と前記蓋体の側壁内周面に沿って形成した蓋体側嵌合部とが凹凸嵌合するブリスター包装容器であって、前記台座本体側嵌合部が、前記台座本体及び前記蓋体とは別体に設けて前記商品収容空間内に掛け渡す帯状の商品情報表示片の長手方向端部を組み込んで着座させる凹状着座部分を備えていることにより、前述した課題を解決するものである。
【０００７】
本請求項２に係る考案は、前記凹状着座部分が、前記台座本体側嵌合部に対して前記商品収容空間を介して対向配置されていることにより、前述した課題をさらに解決するものである。
【０００８】
本請求項３に係る考案は、前記凹状着座部分が、前記台座本体側嵌合部に対して前記蓋体の閉蓋時に前記商品情報表示片が前記台座本体の商品保持部を覆ってかけ渡すように配置されていることにより、前述した課題をさらに解決するものである。
【考案の効果】
【０００９】
本考案の請求項１に係る考案のブリスター包装容器によれば、商品を保持する商品保持部を設けた台座本体と、該台座本体と一体に成型して外側に膨出する商品収容空間を形成した蓋体とを備え、前記台座本体に対して前記蓋体を折り返して閉蓋する際に前記台座本体の側壁外周面に沿って形成した台座本体側嵌合部と前記蓋体の側壁内周面に沿って形成した蓋体側嵌合部とが凹凸嵌合することにより、商品収容空間内に商品を収容できるばかりでなく、本考案に固有の構成により、以下のように本考案に固有の効果を奏することができる。
【００１０】
すなわち、本考案の請求項１に係る考案のブリスター包装容器によれば、台座本体側嵌合部が、台座本体及び蓋体とは別体に設けて商品収容空間内に掛け渡す帯状の商品情報表示片の長手方向端部を組み込んで着座させる凹状着座部分を備えていることにより、商品情報表示片の長手方向端部が凹状着座部分内に組み込まれて着座するため、運搬時や陳列時にブリスター包装容器の設置姿勢が変化したりブリスター包装容器を不用意に転落させたりした場合であっても、商品情報表示片を商品収容空間内で確実に位置決めすることができる。
【００１１】
しかも、凹状着座部分が台座本体の側壁外周面に沿って形成した台座本体側嵌合部に形成されているため、商品情報表示片を台座本体の側壁外周面に対して過度に屈曲させることなく蓋体の蓋体側嵌合部と台座本体の凹状着座部分との間で挟持された状態で商品収容空間内に向けて立ち上がってアーチ状に掛け渡され、その結果、商品情報表示片を商品収容空間内に立体的に見栄えよく配置することができる。
【００１２】
本考案の請求項２に係る考案のブリスター包装容器によれば、請求項１に係る考案が奏する効果に加え、台座本体側嵌合部が、商品情報表示片の両長手方向端部を配置する位置に凹状着座部分を備えていることにより、商品情報表示片の左右両方の長手方向端部分が商品収容空間を介して対向配置された２か所の凹状着座部分内にそれぞれ組み込まれて両持ち状態で着座するため、運搬時や陳列時にブリスター包装容器の設置姿勢が変化したりブリスター包装容器を不用意に転落させたりした場合であっても、商品情報表示片が商品収容空間内でより一段と確実に位置決め保持することができる。
【００１３】
本請求項３に係る考案のブリスター包装容器によれば、請求項１及び請求項２に係る考案が奏する効果に加え、凹状着座部分が、台座本体側嵌合部に対して蓋体の閉蓋時に商品情報表示片が台座本体の商品保持部を覆ってかけ渡すように配置されていることにより、蓋体の閉蓋時に商品情報表示片が台座本体の商品保持部を覆って掛け渡されるため、商品保持部が目立つことなく商品を見栄えよく収納することができる。
【図面の簡単な説明】
【００１４】
【図１】本考案のブリスター包装容器を用いて商品を包装し陳列している状態の一例を示す模式的正面図。
【図２】図１の模式的Ａ−Ａ断面図。
【図３】本考案のブリスター包装容器の閉蓋状態を示す模式的斜視図。
【図４】本考案のブリスター包装容器の開蓋状態を示す模式的斜視図。
【図５Ａ】本考案のブリスター包装容器とは別体に設ける商品情報表示片の一例の使用方法を示す説明図。
【図５Ｂ】本考案のブリスター包装容器とは別体に設ける商品情報表示片の一例の使用方法を示す説明図。
【図５Ｃ】本考案のブリスター包装容器とは別体に設ける商品情報表示片の一例の使用方法を示す説明図。
【図６】図５Ｃの模式的Ｂ−Ｂ断面図。
【図７】図５Ａ乃至図６に示した商品情報表示片を本考案のブリスター包装容器に配置して商品を収容する場合の位置関係を示す模式図。
【考案を実施するための形態】
【００１５】
本考案は、台座本体側嵌合部が、台座本体及び蓋体とは別体に設けて商品収容空間内に掛け渡す商品情報表示片の長手方向端部を組み込んで着座させる凹状着座部分を備えて、商品情報表示片を商品収容空間内で簡便かつ確実に位置決めすることができ、商品情報表示片を商品収容空間内に立体的に見栄えよく配置することができるものであれば、その具体的な実施態様は、如何なるものであっても構わない。
【００１６】
また本考案は、凹状着座部分が台座本体の側壁外周面に沿って形成した台座本体側嵌合部に形成されていることにより、商品情報表示片を台座本体の側壁外周面に対して過度に屈曲させることなく蓋体の蓋体側嵌合部と台座本体の凹状着座部分との間で挟持された状態で商品収容空間内に向けて立ち上がってアーチ状に掛け渡され、その結果、商品情報表示片を商品収容空間内に立体的に見栄えよく配置することができるものであれば、その具体的な実施態様は、如何なるものであっても構わない。
【００１７】
例えば、本考案のブリスター包装容器は、台座本体が備える凹状着座部分は、左右のいずれか一方のみに備えていても、左右両側に備えていてもよい。また、蓋体が備える帯受入部分は、閉蓋時に凹状着座部分に対向する位置に配置するため、左右いずれか一方のみ、又は左右両側に備えることとなる。
【００１８】
凹状着座部分及び帯受入部分を、それぞれ左右両側に備える構成とすれば、台紙とは別体に構成されている商品情報表示片、単独で使用される帯状の商品情報表示片、あるいは、全体形状が帯状でなく左右両方の長手方向端部のみが帯状に構成されている商品情報表示片を用いる場合であっても、ブリスター包装容器内に配置し、確実に位置決めすることができる。
【実施例】
【００１９】
以下に、本考案の一実施例であるブリスター包装容器について、図１乃至図７に基づいて説明する。
【００２０】
ここで、図１は、本考案のブリスター包装容器を用いて商品を包装し陳列している状態の一例を示す模式的正面図であり、図２は、図１の模式的Ａ−Ａ断面図であり、図３は、本考案のブリスター包装容器の閉蓋状態を示す模式的斜視図であり、図４は、本考案のブリスター包装容器の開蓋状態を示す模式的斜視図であり、図５Ａ乃至図５Ｃは、本考案のブリスター包装容器とは別体に設ける商品情報表示片の一例の使用方法を示す説明図であり、図６は、図５Ｃの模式的Ｂ−Ｂ断面図であり、図７は、図５Ａ乃至図６に示した商品情報表示片を本考案のブリスター包装容器に配置して商品を収容する場合の位置関係を示す模式図である。
【００２１】
本実施例に係るブリスター包装容器１００は、図１及び図２に示すように、台座本体１１０にマスカラ等の商品Ｐを保持して商品収容空間Ｓ内に収容し、商品名等が印刷してある商品情報表示片Ｍ２０を商品収容空間Ｓ内にかけ渡して、蓋体１２０を台座本体１１０に嵌合させた閉蓋状態で、自立させて陳列し、又は、陳列用フックを蓋体側吊下孔部分１２５に挿通して吊り下げて陳列するための透明な包装容器である。
【００２２】
以下、本実施例に係るブリスター包装容器１００の各部の構成について詳細に説明する。特に断りがない限り、図１に示す状態を基準として上下左右の用語を用いる。
【００２３】
本実施例に係るブリスター包装容器１００は、図１乃至図４に示すように、ミシン目を施して形成した折曲線１０１において、台座本体１１０と蓋体１２０とが折り曲げ自在に一体成型された透明樹脂からなり、折曲線１０１を回動軸として蓋体１２０を開閉することができるものである。
【００２４】
台座本体１１０は、その大部分が平坦な板状に構成されており、その中央部には、保持する商品Ｐの形状に対応した縦長の商品収容凹部１１７を備え、商品収容凹部１１７の左右両側には、商品Ｐを挟持して保持するための一対の商品保持部１１６が設けられている。
【００２５】
台座本体１１０の側壁外周面に沿った台座本体側嵌合部１１１は、左右の対応する位置に矩形状に窪んでいる一対の凹状着座部分１１２を備えている。台座本体側嵌合部１１１のうち凹状着座部分１１２が設けられていない部位には、係合凹溝部分１１３が、側壁外周面に沿って断続的に設けられている。
【００２６】
左右一対の凹状着座部分１１２は、商品保持部１１６を挟むように商品保持部１１６と同じ高さの位置に設けられている。また、凹状着座部分１１２の上下幅は、商品保持部１１６を構成している突起の上下幅とほぼ同じ長さになるように構成されている。
【００２７】
台座本体１１０は、その側壁外周面に沿った台座本体側嵌合部１１１の外側の一段奥まった部位に台座本体側鍔部１１４を備えており、この台座本体側鍔部１１４の上側中央部に台座本体側吊下孔部分１１５が設けられている。
【００２８】
一方、蓋体１２０は、その大部分が外側（前側）に膨出して商品収容空間Ｓを形成している。
【００２９】
蓋体１２０の側壁内周面に沿った蓋体側嵌合部１２１は、左右の対応する位置に側壁内周面に沿った平坦な一対の帯受入部分１２２を備えている。蓋体側嵌合部１２１のうち帯受入部分１２２以外の部位には、商品収容空間Ｓに向かって突出する係合突条部分１２３が、側壁内周面に沿って断続的に設けられている。
【００３０】
蓋体１２０は、その側壁外周面の外側の一段奥まった部位に蓋体側鍔部１２４を備えており、この蓋体側鍔部１２４の上側中央部に蓋体側吊下孔部分１２５が設けられている。
【００３１】
ブリスター包装容器１００は、閉蓋状態において、台座本体１１０の台座本体側嵌合部１１１と蓋体１２０の蓋体側嵌合部１２１とが凹凸嵌合しているが、この際、台座本体１１０の係合凹溝部分１１３と蓋体１２０の係合突条部分１２３とが相互に係合して、閉蓋状態を維持するように構成されている。
【００３２】
また、ブリスター包装容器１００は、閉蓋状態において、台座本体１１０の凹状着座部分１１２と蓋体１２０の帯受入部分１２２とが至近距離で対向するように構成されている。
【００３３】
なお、図１及び図２は、台座本体１１０が備える凹状着座部分１１２が右側のみに設けられ、これに対向する蓋体１２０の帯受入部分１２２もまた右側のみに設けられている場合を示している。
【００３４】
従って、図２の右側には、凹状着座部分１１２と帯受入部分１２２に、後述の商品情報表示片Ｍ２０の長手方向端部Ｍ２２が挟持されている状態の断面が表れており、図２の左側には、台座本体１１０の係合凹溝部分１１３と蓋体１２０の係合突条部分１２３とが相互に係合している状態の断面が表れている。
【００３５】
一方、図３及び図４は、台座本体１１０が備える凹状着座部分１１２が左右両側に設けられ、これに対向する蓋体１２０の帯受入部分１２２もまた、左右両側に設けられている場合を示している。
【００３６】
さらに、ブリスター包装容器１００は、閉蓋状態において、台座本体１１０の台座本体側鍔部１１４と蓋体１２０の蓋体側鍔部１２４とがちょうど重なり合い、さらに、台座本体１１０の台座本体側吊下孔部分１１５と蓋体１２０の蓋体側吊下孔部分１２５とがちょうど重なり合って単一の吊下孔となるように構成されている。
【００３７】
次に、本実施例に係るブリスター包装容器１００とは別体に設ける商品情報表示片Ｍ２０の一例について説明する。
【００３８】
本実施例に係るブリスター包装容器１００内に配置する商品情報表示片Ｍ２０の一例は、図５Ａ乃至図６に示すように、台紙Ｍ１０及び折返片Ｍ３０と一体となって台紙付き商品情報表示片Ｍを構成している。
【００３９】
ただし、商品情報表示片Ｍ２０は、台紙Ｍ１０及び折返片Ｍ３０とは別体に構成してもよく、帯状の商品情報表示片Ｍ２０を単独で使用してもよい。また、商品情報表示片Ｍ２０の全体形状が帯状でなくてもよく、少なくとも左右両方の長手方向端部Ｍ２２が帯状に構成されていれば、本実施例に係るブリスター包装容器１００内に配置することができる。
【００４０】
帯状の商品情報表示片Ｍ２０が台紙Ｍ１０及び折返片Ｍ３０と一体となって台紙付き商品情報表示片Ｍを構成している場合には、図５Ａに示すように、帯状の商品情報表示片Ｍ２０は、折返片Ｍ３０を介して台紙Ｍ１０と連接している。
【００４１】
すなわち、商品情報表示片Ｍ２０は、切込辺部Ｍ２１を形成する切り込みにより、台紙Ｍ１０から分離している。
【００４２】
商品情報表示片Ｍ２０と折返片Ｍ３０とは、水平に、すなわち商品情報表示片Ｍ２０をかけ渡す方向と平行な方向にミシン目を施して形成した第一折返線Ｍ３１において、折り返し自在に連接しており、さらに、折返片Ｍ３０と台紙Ｍ１０とは、垂直に、すなわち商品情報表示片Ｍ２０をかけ渡す方向と直交する方向にミシン目を施して形成した第二折返線Ｍ３２において折り返し自在に連接している。
【００４３】
台紙Ｍ１０は、第二折返線Ｍ３２を設けてある辺と対向する辺の、第二折返線Ｍ３２と同じ高さの位置に、商品情報表示片Ｍ２０の長手方向端部Ｍ２２がちょうど収容されて係合する幅の切欠係止部Ｍ１１を備えている。
【００４４】
台紙Ｍ１０は、さらに、第二折返線Ｍ３２と切欠係止部Ｍ１１との間の位置に、帯状の商品情報表示片Ｍ２０と概ね同じ上下幅を有する挿通孔部Ｍ１２を備えている。
【００４５】
換言すると、挿通孔部Ｍ１２の位置、大きさは、ブリスター包装容器１００の商品保持部１１６の位置、大きさに応じて決定することとなるため、第二折返線Ｍ３２と切欠係止部Ｍ１１は、台紙Ｍ１０の挿通孔部Ｍ１２が設けられている高さの左右両辺に、それぞれ挿通孔部Ｍ１２と同程度の高さを有するように設けることとなる。
【００４６】
台紙付き商品情報表示片Ｍを使用する場合には、まず図５Ａに示すように、商品情報表示片Ｍ２０を第一折返線Ｍ３１に沿って山折りに折り返す。
この際、折返片Ｍ３０が商品情報表示片Ｍ２０の形状領域内に完全に包含されるように、すなわち、折返片Ｍ３０のすべての領域が商品情報表示片Ｍ２０と重なるように、折返片Ｍ３０の形状及び寸法が設定されている。また、切込辺部Ｍ２１がちょうど第二折返線Ｍ３２と重なる状態になる。
【００４７】
次に、図５Ｂに示すように、第二折返線Ｍ３２に沿って谷折りに折り返し、図５Ｃ及び図６に示すように、商品情報表示片Ｍ２０をアーチ状に曲げて、長手方向端部Ｍ２２を切欠係止部Ｍ１１内に挿通、係合させて用いることとなる。この際、図５Ｃに示すように、正面から見た場合に、挿通孔部Ｍ１２が商品情報表示片Ｍ２０によって概ね隠れるように、商品情報表示片Ｍ２０の形状及び寸法、並びに第二折返線Ｍ３２と切欠係止部Ｍ１１の高さが設定されている。
【００４８】
次に、本実施例のブリスター包装容器１００内に台紙付き商品情報表示片Ｍを配置して、商品Ｐを陳列する場合の手順を説明する。
【００４９】
本実施例のブリスター包装容器１００内に台紙付き商品情報表示片Ｍを配置して商品Ｐを陳列する場合には、図７に示すように、まずブリスター包装容器１００を構成する台座本体１１０と蓋体１２０とを大きく開いて開蓋状態とする。
【００５０】
この段階では、台座本体１１０の商品保持部１１６が上向きに突出するように、テーブル等の平坦面上に載置しておけば作業がしやすいため、図７の説明においては、開蓋状態のブリスター包装容器１００を商品保持部１１６が上向きに突出するように水平面に置いた状態として説明する。
【００５１】
次に、台座本体１１０の上に、台紙付き商品情報表示片Ｍの台紙Ｍ１０を載置する。この時、台紙Ｍ１０の挿通孔部Ｍ１２は、上向きに突出する商品保持部１１６が挿通する位置及び大きさに構成されているので、平坦な台紙Ｍ１０が平坦な台座本体１１０の上に載置される。
【００５２】
なお、台座本体１１０が商品収容凹部１１７を備えている場合には、台紙Ｍ１０の対応する位置に商品Ｐを挿通させるための挿通孔が設けられていてもよい。台紙Ｍ１０に商品Ｐを挿通するために十分な大きさの挿通孔が設けてあれば、台紙Ｍ１０を台座本体１１０上に載置する前に、商品Ｐを商品保持部１１６に配置することができる。
【００５３】
図７は、台紙付き商品情報表示片Ｍが折り返されていない状態（図５Ａの状態）における位置関係を示しているが、予め商品情報表示片Ｍ２０を第一折返線Ｍ３１に沿って山折りに折り返された状態（図５Ｂの状態）で載置すれば、台紙Ｍ１０を台座本体１１０から持ち上げて商品情報表示片Ｍ２０を折り曲げる必要がない。
【００５４】
台紙Ｍ１０に商品Ｐを挿通することができる大きさの挿通孔がない場合は、台紙Ｍ１０を台座本体１１０上に載置した後に、商品Ｐを商品保持部１１６に配置する。
【００５５】
商品Ｐが商品保持部１１６に配置され、かつ、商品情報表示片Ｍ２０が第一折返線Ｍ３１に沿って山折りに折り返され状態（図５Ｂの状態）で台紙Ｍ１０が台座本体１１０の上に載置された状態になった後に、商品情報表示片Ｍ２０をアーチ状に曲げて、長手方向端部Ｍ２２を切欠係止部Ｍ１１内に挿通、嵌合させる。
【００５６】
この時、切欠係止部Ｍ１１が、台座本体１１０の凹状着座部分１１２とちょうど重なる位置に配置されているため、長手方向端部Ｍ２２が切欠係止部Ｍ１１内に挿通、係合するとともに、凹状着座部分１１２に組み込まれて着座する状態になる。
【００５７】
その後、蓋体１２０を、折曲線１０１を回動中心にして、台座本体１１０と重なる位置まで回動させることにより、ブリスター包装容器１００が閉蓋状態となる。
【００５８】
この際、商品情報表示片Ｍ２０の長手方向端部Ｍ２２は、切欠係止部Ｍ１１内に挿通、係合するとともに、台座本体１１０の凹状着座部分１１２に組み込まれ、さらに台座本体１１０の凹状着座部分１１２と蓋体１２０の帯受入部分１２２とにより挟持される。
【００５９】
本実施例のブリスター包装容器１００は、以上説明したような構成となっているため、ブリスター包装容器１００を閉蓋状態とした際には、商品情報表示片Ｍ２０の長手方向端部Ｍ２２が凹状着座部分１１２内に組み込まれて着座する。また、商品情報表示片Ｍ２０が蓋体１２０の帯受入部分１２２と台座本体１１０の凹状着座部分１１２との間で挟持された状態で商品収容空間Ｓ内に向けて立ち上がってアーチ状に掛け渡される。
【００６０】
以上説明したように、本実施例に係るブリスター包装容器１００によれば、商品Ｐを保持する商品保持部１１６を設けた台座本体１１０と、台座本体１１０と一体に成型して外側に膨出する商品収容空間Ｓを形成した蓋体１２０とを備え、台座本体１１０に対して蓋体１２０を折り返して閉蓋する際に台座本体１１０の側壁外周面に沿って形成した台座本体側嵌合部１１１と蓋体１２０の側壁内周面に沿って形成した蓋体側嵌合部１２１とが凹凸嵌合することにより、商品収容空間Ｓ内に商品Ｐを収容できるばかりでなく、以下の効果を奏することができる。
【００６１】
本実施例に係るブリスター包装容器１００によれば、台座本体側嵌合部１１１が、台座本体１１０及び蓋体１２０とは別体に設けて商品収容空間Ｓ内に掛け渡す帯状の商品情報表示片Ｍ２０の長手方向端部Ｍ２２を組み込んで着座させる凹状着座部分１１２を備えていることにより、商品情報表示片Ｍ２０の長手方向端部Ｍ２２が凹状着座部分１１２内に組み込まれて着座するため、運搬時や陳列時にブリスター包装容器１００の設置姿勢が変化したりブリスター包装容器を不用意に転落させたりした場合であっても、商品情報表示片Ｍ２０を商品収容空間Ｓ内で確実に位置決めすることができる。
【００６２】
しかも、凹状着座部分１１２が台座本体１１０の側壁外周面に沿って形成した台座本体側嵌合部１１１に形成されているため、商品情報表示片Ｍ２０を台座本体１１０の側壁外周面に対して過度に屈曲させることなく蓋体１２０の帯受入部分１２２と台座本体１１０の凹状着座部分１１２との間で挟持された状態で商品収容空間Ｓ内に向けて立ち上がってアーチ状に掛け渡され、その結果、商品情報表示片Ｍ２０を商品収容空間Ｓ内に立体的に見栄えよく配置することができる。
【００６３】
また、台座本体側嵌合部１１１が、商品情報表示片Ｍ２０の両長手方向端部Ｍ２２を配置する位置に凹状着座部分１１２を備えていることにより、商品情報表示片Ｍ２０の左右両方の長手方向端部Ｍ２２が商品収容空間Ｓを介して対向配置された２か所の凹状着座部分１１２内にそれぞれ組み込まれて両持ち状態で着座するため、運搬時や陳列時にブリスター包装容器１００の設置姿勢が変化したりブリスター包装容器１００を不用意に転落させたりした場合であっても、商品情報表示片Ｍ２０が商品収容空間Ｓ内でより一段と確実に位置決め保持することができる。
【００６４】
さらに、凹状着座部分１１２が、台座本体側嵌合部１１１に対して蓋体１２０の閉蓋時に商品情報表示片Ｍ２０が台座本体１１０の商品保持部１１６を覆ってかけ渡すように配置されていることにより、蓋体１２０の閉蓋時に商品情報表示片Ｍ２０が台座本体１１０の商品保持部１１６を覆って掛け渡されるため、商品保持部１１６が目立つことなく商品Ｐを見栄えよく収納することができる。
【００６５】
以上、本考案に係るブリスター包装容器について実施例を用いて説明したが、本考案は、これらに限定されるものではない。
【００６６】
本考案は、その主旨を逸脱しない範囲で当業者の知識に基づき種々の改良、修正、変更を加えた態様で実施できるものである。
【産業上の利用可能性】
【００６７】
本考案に係るブリスター包装容器は、商品情報表示片を商品収容空間内に配置する包装容器として用いることができる。
【符号の説明】
【００６８】
１００・・・ブリスター包装容器
１０１・・・折曲線
１１０・・・台座本体
１１１・・・台座本体側嵌合部（側壁外周面）
１１２・・・凹状着座部分
１１３・・・係合凹溝部分
１１４・・・台座本体側鍔部
１１５・・・台座本体側吊下孔部分
１１６・・・商品保持部
１１７・・・商品収容凹部
１２０・・・蓋体
１２１・・・蓋体側嵌合部（側壁内周面）
１２２・・・帯受入部分
１２３・・・係合突条部分
１２４・・・蓋体側鍔部
１２５・・・蓋体側吊下孔部分
Ｍ・・・・・台紙付き商品情報表示片
Ｍ１０・・・台紙
Ｍ１１・・・切欠係止部
Ｍ１２・・・挿通孔部
Ｍ２０・・・商品情報表示片
Ｍ２１・・・切込辺部
Ｍ２２・・・長手方向端部
Ｍ３０・・・折返片
Ｍ３１・・・第一折返線
Ｍ３２・・・第二折返線
Ｓ・・・・・商品収容空間
Ｐ・・・・・商品
【図１】
0003225973.tif 000003
【図２】
0003225973.tif 000004
【図３】
0003225973.tif 000005
【図４】
0003225973.tif 000006
【図５Ａ】
0003225973.tif 000007
【図５Ｂ】
0003225973.tif 000008
【図５Ｃ】
0003225973.tif 000009
【図６】
0003225973.tif 000010
【図７】
0003225973.tif 000011